(57)【要約】  【課題】ユーザおよび音声入力装置の特性が考慮された音声調整を簡単に行う。  【解決手段】  第１の識別情報を有する識別装置と、第２の識別情報を有し、音声信号を発生すると共に、識別装置から、第１の識別情報が入力される音声装置と、音声装置から、第１の識別情報と、第２の識別情報とが入力される音声調整卓とを備える。第１の識別情報および第２の識別情報との組み合わせに対応して音声調整卓のパラメータが設定される。【選択図】図１
2013197764.tif 000002
【特許請求の範囲】
【請求項１】
第１の識別情報を有する識別装置と、
第２の識別情報を有し、音声信号を発生すると共に、前記識別装置から、前記第１の識別情報が入力される音声装置と、
前記音声装置から、前記第１の識別情報と、前記第２の識別情報とが入力される音声調整卓と
を備え、
前記第１の識別情報および前記第２の識別情報の組み合わせに対応して前記音声調整卓のパラメータが設定される
音声信号制御システム。
【請求項２】
前記第１の識別情報が、近接無線通信で前記音声装置に入力される
請求項１記載の音声信号制御システム。
【請求項３】
前記第１の識別情報は、利用者識別情報である
請求項１、および請求項２の何れかに記載の音声信号制御システム。
【請求項４】
前記音声装置は、マイクロホンである
請求項１乃至３の何れかに記載の音声信号制御システム。
【請求項５】
第２の識別情報を有する音声装置が、音声信号を発生すると共に、第１の識別情報を有する識別装置から前記第１の識別情報を入力し、
音声調整卓に対して、前記音声装置から前記第１の識別情報と前記第２の識別情報とを入力し、前記第１の識別情報および前記第２の識別情報の組み合わせに対応して前記音声調整卓のパラメータを設定する
音声信号制御方法。
【発明の詳細な説明】
【技術分野】
【０００１】
本開示は、音声信号制御システムおよび音声信号制御方法に関する。
【背景技術】
【０００２】
ラジオやテレビジョンなどの放送スタジオや、音楽の録音スタジオなどには、入力された音声信号の音量や音質などを調整する音声調整卓が設けられている。音声信号の入力装置の一つとして、マイクロホンが用いられる。音声調整卓は、複数のマイクロホンなどから入力された各音声信号について音量や音質の調整を行った後、各音声信号をミキシングして出力する。
【０００３】
音声調整卓は、音声調整者（オペレータ）によって操作される。音声調整者は、音声調整卓を操作して、音声信号のミキシングバランスが最適となるように手動で調整している。放送番組などの進行中には、各マイクロホンを用いる利用者の変更が生じる。このため、音声調整卓において利用者毎に音量や音質の設定を変更する必要があり、音声調整者にとっては、操作面での負担があった。
【０００４】
音声調整者の操作負担の軽減を目的とした技術が例えば、特許文献１（特開２０１１−１０９３１３号公報）に開示されている。特許文献１には、各利用者に設置された情報端末に格納されたＩＤデータをワイヤレスマイク送信機にて受信することで、当該ＩＤデータに基づき、利用者毎の音声処理の各種パラメータ設定値を読み出し、音声出力に反映させる音声システムが開示されている。これによって、音声調整者側において、利用者毎に、音声処理の各種パラメータを調整する手間が省けるため、オペレータの負担を格段に軽減することができ、さらに、入力ミスによるミスオペレーションも抑制することが可能になるとしている。
【先行技術文献】
【特許文献】
【０００５】
【特許文献１】特開２０１１−１０９３１３号公報
【発明の概要】
【発明が解決しようとする課題】
【０００６】
音声装置例えばマイクロホンは、個体毎に特性が相違している。特許文献１では、マイクロホンを用いる利用者毎の音声加工パラメータの自動設定は実現しているものの、マイクロホンの個体毎に異なる特性についての考慮がなされていない。したがって、音声装置に対応して正確な音声加工パラメータを設定できなかったり、音声加工パラメータの設定作業が負担となる問題があった。
【０００７】
したがって、本開示の目的は、利用者毎の音声の特徴のみならず、音声装置毎に異なる特性も考慮された音声調整を行うことができる音声信号制御システムおよび音声信号制御方法を提供することにある。
【課題を解決するための手段】
【０００８】
上述の課題を解決するために、本開示は、第１の識別情報を有する識別装置と、
第２の識別情報を有し、音声信号を発生すると共に、識別装置から、第１の識別情報が入力される音声装置と、
音声装置から、第１の識別情報と、第２の識別情報とが入力される音声調整卓と
を備え、
第１の識別情報および第２の識別情報の組み合わせに対応して音声調整卓のパラメータが設定される
音声信号制御システムである。
【０００９】
本開示は、第２の識別情報を有する音声装置が、音声信号を発生すると共に、第１の識別情報を有する識別装置から第１の識別情報を入力し、
音声調整卓に対して、音声装置から第１の識別情報と第２の識別情報とを入力し、第１の識別情報および第２の識別情報の組み合わせに対応して音声調整卓のパラメータを設定する
音声信号制御方法である。
【発明の効果】
【００１０】
本開示によれば、音声装置毎に異なる特性も考慮された音声調整を効率的に行うことができる。
【図面の簡単な説明】
【００１１】
【図１】本開示の一実施形態による音声信号制御システムの概略的なブロック図である。
【図２】本開示の一実施形態における音声入力装置のブロック図である。
【図３】本開示の一実施形態における受信機および音声調整卓のブロック図である。
【図４】本開示の一実施形態における管理情報の一例を示す略線図である。
【発明を実施するための形態】
【００１２】
以下に説明する実施形態は、本開示の好適な具体例であり、技術的に好ましい種々の限定が付されている。しかしながら、本開示の範囲は、以下の説明において、特に本開示を限定する旨の記載がない限り、これらの実施形態に限定されないものとする。
【００１３】
＜音声信号制御システムの構成＞
「音声信号制御システム」
本開示の一実施形態による音声信号制御システム１について説明する。図１には、音声信号制御システム１内における音声信号および各種情報（識別情報）の経路が示される。音声信号制御システム１は、大別して、外部識別装置１０と、ワイヤレスマイクロホンのような音声入力装置２０と、受信機３０と、音声調整卓４０と、情報管理装置５０とを有する。
【００１４】
外部識別装置１０は、第１の識別情報として、利用者識別情報（ユーザＩＤ６０と適宜称する）を有する。そして、外部識別装置１０は、音声入力装置２０との間で、近接無線通信によってユーザＩＤ６０をやり取りする機能を有する。外部識別装置１０には、例えばＲＦＩＤ（Radio Frequency IDentification）や非接触型ＩＣ（Integrated Circuit）カードなどが用いられる。外部識別装置１０は、例えば電子タグを内蔵する。電子タグとは、識別情報などを保持し、電波などによってその情報の読み取りや書き込みができるものである。ユーザＩＤ６０は電子タグに記録される。各利用者（演者）には、それぞれに固有のユーザＩＤ６０を有する外部識別装置１０が用意される。ユーザＩＤ６０には、例えば利用者の名前、利用者に固有の番号などのＩＤが記憶される。利用者は、自身の情報が登録された外部識別装置１０を音声入力装置２０に近接させることによって、ユーザＩＤを音声入力装置２０に読み込ませる。
【００１５】
外部識別装置１０から音声入力装置２０に対してユーザＩＤ６０を送信する方式としては、ＲＦＩＤ以外の種々の方式を使用することができる。例えばBluetooth（登録商標）
を使用することができる。Bluetooth（登録商標）は、最大通信距離が１００メートルの
近距離無線技術であり、周波数帯域として２．４ＧHzを使用する。UWB(Ultra Wide Band)を使用しても良い。UWBは、超広帯域（３．１ＧHz〜１０．６Ｇ）を使用して１０メート
ル程度の距離で、最大４８０Ｍbpsの通信を行うことができる。ZigBeeを使用しても良い
。ZigBeeは、ZigBee Allianceが規格化を進めている近距離無線技術である。周波数帯域
として、２．４ＧHz、９０２〜９２８ＭHz、８６８〜８７０ＭHzを使用する。最大通信距離が９〜６９メートルとされている。NFC(Near Field Communication)も使用することが
できる。NFCは、１３．５６ＭHz帯の近距離無線技術である。複数の規格に分かれている
非接触ＩＣカード技術の無線インターフェース部分を標準化したもので、非接触ＩＣカードに互換性を生じさせる。NFCの標準化は、２段階で行われ、タイプＡとタイプＢとの二
つの規格がある。さらに、これらの近距離無線技術の複数の方式に対応するようにしても良い。
【００１６】
音声入力装置２０は、第２の識別情報として、装置識別情報（ＭＩＣ  ＩＤ７０と適宜称する）を有する音声装置である。そして、音声入力装置２０は、入力音声を変換して音声信号を発生する機能を有する。それと共に、音声入力装置２０は、外部識別装置１０の情報を読み込む機能を有する。音声入力装置２０には、外部識別装置１０からユーザＩＤ６０が入力される。音声入力装置２０は、例えばワイヤレスマイクロホンである。
【００１７】
音声入力装置２０は、外部識別装置１０との通信のために、例えば高周波回路を有する。但し、音声入力装置２０の利用者が限られた特定の少人数の場合には、音声入力装置２０に、ユーザＩＤ６０の機能が付されたボタンスイッチなどを設けて代用しても構わない。音声入力装置２０は、音声信号、並びにユーザＩＤ６０およびＭＩＣ  ＩＤ７０を受信機３０に送信する機能も併せ持つ。
【００１８】
音声入力装置２０は、ワイヤード（有線）マイクロホンであっても、ワイヤレス（無線）マイクロホンであっても良い。ワイヤードマイクロホンが用いられる場合には、音声入力装置２０と受信機３０とはケーブルで接続される。なお、ワイヤードマイクロホンの場合であっても、ユーザＩＤ６０およびＭＩＣ  ＩＤ７０の受信機３０への送信が無線で行われても構わない。すなわち、識別情報と、音声信号とは一体で送信されても別々に送信されても構わない。なお、ＭＩＣ  ＩＤ７０については後に詳述する。
【００１９】
受信機３０は、音声入力装置２０から音声信号と、ユーザＩＤ６０と、ＭＩＣ  ＩＤ７０とを無線通信によって受信する。そして、受信機３０は、受信した音声信号と、ユーザＩＤ６０と、ＭＩＣ  ＩＤ７０とを音声調整卓４０に供給する。
【００２０】
受信機３０と接続されている音声調整卓４０には、受信機３０から音声信号と、ユーザＩＤ６０と、ＭＩＣ  ＩＤ７０とが入力される。さらに、音声調整卓４０に対して情報管理装置５０が接続されている。音声調整卓４０は、情報管理装置５０に記憶された情報を読み出し、その情報を自身の図示せぬ表示部に表示する機能を有する。読み出された情報（パラメータ）に基づいて、音声調整卓４０は、入力された音声信号のレベル、特性等を加工（調整）して出力する。
【００２１】
情報管理装置５０には管理情報８０が記憶されている。情報管理装置５０は、登録および編集の可能な管理情報８０を管理する例えばサーバである。ここで、管理情報８０とは、ユーザＩＤ６０と、ＭＩＣ  ＩＤ７０との組み合わせをキー（識別子）とした、音声調整卓４０にて表示される名称と、入力音声信号の制御の際に用いられるパラメータ情報とによるデータの集合である。なお、管理情報８０については後に詳述する。
【００２２】
本開示の一実施形態においては、ユーザＩＤ６０と、ＭＩＣ  ＩＤ７０との組み合わせに対応して音声調整卓４０のパラメータが設定される。なお、ここでは、受信機３０と、音声調整卓４０と、情報管理装置５０とを別体として説明したが、これらが、音声調整卓４０に内蔵され、一体とされた構成であっても何ら問題はない。
【００２３】
「音声入力装置の一例」
図２は、本開示の一実施形態における音声入力装置２０の一例を示す。音声入力装置２０は、マイクロホン等の音声入力部２１と、音声処理部２２と、利用者識別情報受信部２３と、制御部２４と、不揮発性メモリで構成される記憶部２５と、伝送処理部２６と、送信部２７とを有する。音声入力部２１は、入力された音声を電気信号に変換する。
【００２４】
音声処理部２２は、音声入力部２１から出力される音声信号に対して減衰、増幅、圧縮などの各種処理を行う。音声処理部２２は、例えばＤＳＰ（Digital Signal Processor）によって構成されている。
【００２５】
利用者識別情報受信部２３は、外部識別装置１０（図１参照）からユーザＩＤ６０を受信する無線通信部である。利用者識別情報受信部２３は、例えば電磁誘導によって外部識別装置１０に電力を供給し、誘導電磁界や電波などによって外部識別装置１０の情報を読み書きする。利用者識別情報受信部２３には、非接触型ＩＣカードリーダライタやＲＦＩＤリーダライタに例示されるリーダライタが用いられる。利用者識別情報受信部２３は、数ｃｍから数ｍの範囲の近距離で外部識別装置１０と無線通信できれば良い。なお、好ましくは、利用者識別情報受信部２３には、複数の電子タグの同時読み取り機能、すなわちアンチコリジョン機能が搭載されている。
【００２６】
制御部２４は、音声入力装置２０を構成する各部と制御する。さらに、制御部２４は、記憶部２５に記憶される情報の読み書きを行う。制御部２４は、例えばＣＰＵ（Central
Processing Unit）などによって構成される。制御部２４は、利用者識別情報受信部２３
で受信したユーザＩＤ６０と、記憶部２５に記憶されているＭＩＣ  ＩＤ７０とを読み出して伝送処理部２６に供給する。上述したように、ユーザＩＤ６０と、ＭＩＣ  ＩＤ７０とは最終的には音声調整卓４０に供給される。
【００２７】
記憶部２５は、装置識別情報であるＭＩＣ  ＩＤ７０を記憶している。ＭＩＣ  ＩＤ７０には、音声入力装置２０の製造時に登録されるメーカー名や、シリアル番号などのＩＤが用いられる。ＭＩＣ  ＩＤ７０は、複数の音声入力装置２０のそれぞれが特定できるものであれば良い。記憶部２５には、例えば書き換え不可能な記憶媒体が用いられる。なお、音声入力装置２０に新たに付与された情報を記憶部２５に記憶してＭＩＣ  ＩＤ７０として用いても良い。その際には、記憶部２５には、例えばフラッシュメモリなどの書き換え可能な不揮発性の半導体メモリが用いられる。
【００２８】
伝送処理部２６は、音声処理部２２から出力された音声信号を無線伝送するために設けられている。伝送処理部２６において、音声信号に対し、伝送路に適した変調、伝送路に効率的に輻射するための高周波への変換および増幅などの処理がなされる。さらに、伝送処理部２６は、音声信号に加えてユーザＩＤ６０およびＭＩＣ  ＩＤ７０が無線伝送信号に含まれるように処理する。送信部２７によって、音声信号と、ユーザＩＤ６０と、ＭＩＣ  ＩＤ７０とが受信機３０（図１参照）に対して無線通信で送信される。
【００２９】
「受信機、音声調整卓および情報管理装置の一例」
図３は、本開示の一実施形態における受信機３０、音声調整卓４０および情報管理装置５０の一例を示す。受信機３０は、受信部３１と、伝送処理部３２とを有する。音声調整卓４０は、制御部４１と、音声処理部４２と、出力部４３とを有する。上述したように、情報管理装置５０には管理情報８０が記憶されている。
【００３０】
受信部３１は、音声入力装置２０の送信部２７（図２参照）から無線通信で送信された音声信号と、ユーザＩＤ６０と、ＭＩＣ  ＩＤ７０とを受信する。伝送処理部３２は、受信部３１が受信した変調信号を復調し、音声信号、ユーザＩＤ６０およびＭＩＣ  ＩＤ７０が取り出される。ユーザＩＤ６０と、ＭＩＣ  ＩＤ７０とが音声調整卓４０の制御部４１に供給され、音声信号が音声調整卓４０の音声処理部４２に供給される。
【００３１】
制御部４１は、ユーザＩＤ６０と、ＭＩＣ  ＩＤ７０とに基づいて情報管理装置５０から対応する管理情報８０のパラメータ情報を読み出す。制御部４１は、読み出した管理情報８０を音声処理部４２に供給する。
【００３２】
音声処理部４２は、例えば複数のＤＳＰによって構成される。音声処理部４２は、図示せぬ複数の音声チャンネルを有している。複数の音声入力装置２０から送信された音声信号は、それぞれ複数の音声チャンネルに割り当てられる。音声処理部４２は、それぞれの音声チャンネルにおいて、制御部４１から供給されたパラメータ情報に基づいて伝送処理部３２から供給された音声信号を加工（調整）する。音声処理部４２で調整され、ミキシングされた音声信号が放送音声などとして出力部４３から出力される。
【００３３】
「管理情報の一例」
図４は、本開示の一実施形態における管理情報８０の一例を示す。管理情報８０は、音声を発する複数の利用者の各々と、複数の音声入力装置２０の各々との組み合わせによる複数の音声信号入力のそれぞれに対応したパラメータを記憶するものである。
【００３４】
管理情報８０の第１列がＭＩＣ  ＩＤ欄８１である。ＭＩＣ  ＩＤ欄８１には、音声入力装置２０が有する識別情報が記される。管理情報８０の第２列がユーザＩＤ欄８２である。ユーザＩＤ欄８２には、利用者が保持する外部識別装置１０の識別情報が記される。ユーザＩＤ欄８２には、例えば利用者の名前が表示される。
【００３５】
音声加工パラメータ８３は、ＭＩＣ  ＩＤ欄８１およびユーザＩＤ欄８２の組み合わせ毎に設定されているパラメータ各項目の値である。言い換えると、音声加工パラメータ８３は、音声入力装置２０を用いる利用者の固有の特性に合わせられ、且つ音声入力装置２０の特性も加味された音声信号調整用のパラメータである。音声加工パラメータ８３の設定項目８４には、設定されるパラメータの項目の一覧が示されている。設定項目８４は、一例として、以下のように、入力レベル、ハイパスフィルタ（ＨＰＦ）、ローパスフィルタ（ＬＰＦ）、イコライザ（ＥＱ）および出力レベルの項目を含む。
【００３６】
入力レベル:入力信号に対するレベル調整のパラメータである。レベル調整を機能させ
るか否か（ＯＮ、ＯＦＦ）の設定も可能である。
ハイパスフィルタ、ローパスフィルタ：不要な帯域の信号を減衰させるための機能である。減衰させる周波数の値がパラメータとして設定されている。フィルタを機能させるか否か（ＯＮ、ＯＦＦ）の設定も可能である。
イコライザ:音作りを目的として周波数特性を補正するための機能である。中心周波数
とゲイン可変量とがパラメータとして設定される。イコライザを機能させるか否か（ＯＮ、ＯＦＦ）の設定も可能である。
なお、上述した管理情報８０の設定項目８４は、一例であって、他の項目が追加されても良い。
【００３７】
ここでは、例として、第１行のグループを取り上げて簡単に説明する。第１行のグループの項目には、ＭＩＣ  ＩＤ欄８１の「１」として「アナウンサーＡ」が設定されている。入力音声信号の調整パラメータとしてこれらの組み合わせが選択されると、−４０ｄＢの入力レベルに調整され、ＨＰＦによって１００Ｈｚ以下の音声およびＬＰＦによって１０ｋＨｚ以上の音声が減衰される。ＥＱによって、中心周波数が２００Ｈｚの音量が−１０ｄＢとなるように調整される。そして、最終的には０ｄＢとなるように調整されて、音声信号が出力されることとなる。
【００３８】
このように、ＭＩＣ  ＩＤ欄８１と、ユーザＩＤ欄８２との組み合わせ毎に分類されて、管理情報８０としてパラメータが予め設定されている。この管理情報８０は、事前設定される。
【００３９】
本開示の一実施形態では、ユーザＩＤ６０の音声入力装置２０への読み込みと共に、ユーザＩＤ６０とＭＩＣ  ＩＤ７０との組み合わせ毎に設定されている音声加工パラメータ８３が音声処理部４２へと自動設定される構成となっている。したがって、音声信号制御システム１の調整の作業を軽減することができる。その際に、設定される音声加工パラメータ８３には、音声入力装置２０毎の特性が含まれている。したがって、利用者（演者）の交代や利用する音声入力装置２０の変更時においても即座に最適なパラメータ値が自動設定されるので、調整作業の負担を少なくすることができる。
【００４０】
＜音声信号制御方法＞
「管理情報８０の登録」
本開示の実施形態による音声信号制御方法について説明する。
まず、音声信号制御システム１での音声加工が想定される利用者および音声入力装置２０が選び出される。次に、各利用者と各音声入力装置２０との組み合わせ毎に、それぞれの入力音声信号の音質調整、音量調整などの音声加工パラメータ８３が管理情報８０に登録される。なお、管理情報８０は、機器の設置時に限らず、設備運用開始後であっても編集および追加登録が可能である。
【００４１】
「ユーザＩＤ６０の発行」
利用者毎に、それぞれが固有のユーザＩＤ６０を有する外部識別装置１０が用意される。なお、複数の音声入力装置２０には、例えば製造時等において予め固有のＭＩＣ  ＩＤ７０が付されている。
【００４２】
「ユーザＩＤ６０の読み込み」
入力音声信号の調整が行われる際には、利用者によって、外部識別装置１０が、音声入力装置２０に近付けられる。これによって、音声入力装置２０はユーザＩＤ６０を読み込む。なお、予め、複数枚の外部識別装置１０のユーザＩＤ６０を音声入力装置２０が読み込むようにしても良い。
【００４３】
「入力音声信号の調整」
ユーザＩＤ６０と、ＭＩＣ  ＩＤ７０とは、音声入力装置２０から受信機３０を介して音声調整卓４０の制御部４１に供給される。制御部４１は、供給されたユーザＩＤ６０と、ＭＩＣ  ＩＤ７０との組み合わせに該当する音声加工パラメータ８３を情報管理装置５０の管理情報８０から読み出す。制御部４１は、当ユーザＩＤ６０およびＭＩＣ  ＩＤ７０との名称などを図示せぬ各操作部の表示部に表示させる。そして、制御部４１は、読み出した音声加工パラメータ８３を音声処理部４２に供給する。音声処理部４２では、音声入力装置２０から供給された入力音声信号に対して音声加工パラメータ８３によって調整が行われる。
【００４４】
これらの設定が完了した音声信号制御システム１は、各利用者と各音声入力装置２０との組み合わせに最適な入力音声信号の調整が既に行われている状態となっている。但し、その後において、音声加工パラメータ８３の修正が必要な際には、音声調整卓４０の操作部にて必要な調整が行われる。なお、調整された値を新たな音声加工パラメータ８３として管理情報８０に記憶しても良い。
【００４５】
こうして、音声信号制御システム１では、ユーザＩＤおよび音声入力装置２０自身が持つ装置ＩＤが音声調整卓４０に送信され、最適な音声加工パラメータ８３による音声信号の調整が行われる。音声入力装置２０のそれぞれと対応して音声調整卓４０の設定変更を行う音声信号制御システム１では、音声入力装置２０を用いる利用者の交代を反映することができ、その際に、音声入力装置２０に固有の情報が加味された音声信号の調整を行うことができる。
【００４６】
本開示の一実施形態による音声信号制御システム１において設定される音声加工パラメータ８３には音声入力装置２０の個体毎の特性が加味されている。したがって、少ない作業、且つ短時間で、利用者の交代や、利用する音声入力装置２０の変更に対応して音声加工パラメータ８３を自動的に設定することができる。したがって、本開示の一実施形態による音声信号制御システム１では、音声調整者にとってのパラメータ調整作業の負担を軽減することができる。
【００４７】
＜変形例＞
本開示の変形例について説明する。上述した説明では、利用者が発する音声とマイクロホンとの組み合わせについて説明した。しかしながら、本開示の一実施形態による音声信号制御システムでは、これに限定されない。例えば、利用者ＩＤに限らず、サラウンド音声のフロントレフト用、リアライト用などの用途（配置）や、中継回線用などの音声入力装置の用途に合わせてＩＤを用意しても良い。この場合には、フロントレフト用、リアライト用、中継回線用などのＩＤを音声入力装置の設置時に読み込ませることで、音声入力装置固有の情報が加味された最適な音声加工パラメータが自動的に設定される。
【００４８】
さらに、各放送番組用に調整された音声加工パラメータを用意しても良い。さらに、マイクロホンの代わりに楽器が用いられ、利用者の代わりに演奏者とされる形態などにおいても、音声信号の調整を最適且つ効率的に行うことができる。さらに、外部識別装置に、音声調整卓にて表示する名称や入力音声制御を行うパラメータを記憶する形態としても良い。その際に、情報管理装置の管理情報には、ＭＩＣ  ＩＤ欄８１と、ユーザＩＤ欄８２との組み合わせの代わりに、音声入力装置２０毎の係数をパラメータとして設定しても良い。
【００４９】
この場合には、まず、音声入力装置２０は、外部識別装置１０から、音声調整卓４０にて表示する名称や入力音声制御を行うパラメータを取得し、自身のＭＩＣ  ＩＤ７０と共に音声調整卓４０に送信する。音声調整卓４０は、受信したＭＩＣ  ＩＤ７０を情報管理装置５０に記録する。そして、音声調整卓４０は、受信したＭＩＣ  ＩＤ７０をキーとして、情報管理装置５０から、当該の音声入力装置２０の係数を読み出す。音声調整卓４０は、受信したパラメータおよび音声入力装置２０の係数を元に音声信号の調整用のパラメータを算出する。そして、音声調整卓４０は、音声調整卓４０の表示部での表示および当該の入力音声信号の調整を行う。
【００５０】
以上、本開示の実施形態について具体的に説明したが、上述の各実施形態に限定されるものではなく、本開示の技術的思想に基づく各種の変形が可能である。例えば、上述の実施形態において挙げた構成、方法、工程、形状、材料および数値などはあくまでも例に過ぎず、必要に応じてこれと異なる構成、方法、工程、形状、材料および数値などを用いてもよい。
【符号の説明】
【００５１】
１  ・・・音声信号制御システム
１０・・・外部識別装置
２０・・・音声入力装置
２１・・・音声入力部
２２・・・音声処理部
２３・・・利用者識別情報受信部
２４・・・制御部
２５・・・記憶部
３０・・・受信機
３２・・・伝送処理部
４０・・・音声調整卓
４１・・・制御部
４２・・・音声処理部
５０・・・情報管理装置
【図１】
2013197764.tif 000003
【図２】
2013197764.tif 000004
【図３】
2013197764.tif 000005
【図４】
2013197764.tif 000006